(57)【要約】【課題】無線通信を行う可搬型の放射線画像検出装置を用いる放射線画像撮影システムにおいて、送信された縮小画像データを参照することにより、撮影した放射線画像データに対して撮影ミスがあったか否かの確認を迅速に行うことが可能な、放射線画像撮影システムを提供する。【解決手段】放射線画像検出装置６は、コンソール７から送信された表示形式の情報に基づいて縮小画像生成部６２に放射線画像データから画像サイズを縮小させた縮小画像データを生成させ、生成した該縮小画像データを無線通信部６９によりコンソール７に送信させる放射線画像撮影システムとする。【選択図】図５
2009226110.tif 000002
【特許請求の範囲】
【請求項１】
被検体を透過した放射線に基づいて放射線画像データを生成する撮像部と、生成した複数の放射線画像データを記憶する記憶部と、前記記憶部に記憶した放射線画像データから縮小画像データを生成する縮小画像生成部と、を備えた放射線画像検出装置と、
設定された表示形成に基づいて前記放射線画像検出装置から受信した縮小画像データを表示する表示部と、を備えたコンソールと、
前記放射線画像検出装置と前記コンソールとを無線通信可能とする無線通信手段と、
を有する放射線画像撮影システムであって、
前記コンソールは、設定されている前記表示形式の情報を前記放射線画像検出装置に送信し、
前記放射線画像検出装置は、受信した前記表示形式の情報に基づいて前記縮小画像生成部に放射線画像データから縮小画像データを生成させ、生成した該縮小画像データを前記無線通信手段により前記コンソールに送信させることを特徴とする放射線画像撮影システム。
【請求項２】
前記縮小画像生成部は、前記コンソールに送信する縮小画像データの数と前記表示形式の情報に基づき放射線画像データから縮小画像データを生成する際の縮小率を可変とすることを特徴とする請求項１に記載の放射線画像撮影システム。
【請求項３】
それぞれに少なくとも一つの放射線照射装置が配置された複数の撮影領域と、
前記放射線照射装置から照射され被検体を透過した放射線に基づいて撮影を行って放射線画像データを取得する撮像部と、前記撮像部で撮影した複数の放射線画像データを記憶可能な記憶部と、前記記憶部に記憶した放射線画像データの画像サイズを縮小させた縮小画像データを生成する縮小画像生成部と、ＲＦＩＤタグと、を備えた放射線画像検出装置と、
何れかの前記撮影領域に対応付けられた、コンソールＩＤを付与されたコンソールであって、設定された表示形成に基づいて前記放射線画像検出装置から受信した縮小画像データを表示する表示部と、を備えた複数のコンソールと、
ＲＦＩＤタグの情報を読み取ることにより前記撮影領域への前記放射線画像検出装置の進入を検出するＲＦＩＤタグリーダと、
前記放射線画像検出装置と前記コンソールとを無線通信可能とする無線通信手段と、
を有する放射線画像撮影システムであって、
前記ＲＦＩＤタグリーダにより前記撮影領域への前記放射線画像検出装置の進入を検出した際に、該撮影領域に対応付けられたコンソールは、付与されているコンソールＩＤ及び設定されている前記表示形式の情報を該放射線画像検出装置に送信し、
該放射線画像検出装置は、送信トリガが入力された際に、最後に受信した前記表示形式の情報に基づいて前記縮小画像生成部に放射線画像データから縮小画像データを生成させ、生成した該縮小画像データを前記無線通信手段により最後に受信した前記コンソールＩＤが付与された前記コンソールに送信させることを特徴とする放射線画像撮影システム。
【請求項４】
前記縮小画像生成部は、前記コンソールに送信する縮小画像データの数と前記表示形式の情報に基づき放射線画像データから縮小画像データを生成する際の縮小率を可変とすることを特徴とする請求項３に記載の放射線画像撮影システム。
【請求項５】
前記コンソールは、撮影者が前記表示部に表示された縮小画像データを参照することにより撮影した放射線画像データが正常に撮影できたことを確定する、確定入力部を有し、
該コンソールは前記確定入力部の入力に基づいて、前記放射線画像検出装置に前記表示部に表示された縮小画像データに対応する放射線画像データの送信を行わせることを特徴とする請求項３又は４に記載の放射線画像撮影システム。
【請求項６】
前記放射線画像検出装置を装填することにより該放射線画像検出装置と前記コンソールとを有線通信可能とさせる接続部を有し、
前記放射線画像データの前記放射線画像検出装置の前記コンソールへの送信は、前記接続部を介した有線通信により送信することを特徴とする請求項５に記載の放射線画像撮影システム。
【請求項７】
前記コンソールは、縮小画像データに基づいて画像処理条件の設定を行い、
設定した前記画像処理条件を、該縮小画像データに対応する放射線画像データに適用することにより処理画像データを生成し、生成した処理画像データを外部装置に送信することを特徴とする請求項６に記載の放射線画像撮影システム。
【発明の詳細な説明】
【技術分野】
【０００１】
本発明は放射線画像撮影システムに関し、特に無線通信を行う可搬型の放射線画像検出装置を用いる放射線画像撮影システムに関する。
【背景技術】
【０００２】
医療診断の場においては、ＣＲカセッテに内蔵された蛍光体プレートを励起光で走査することにより放射線画像データを読み取る読取装置と、当該読取装置で読み取られた放射線画像データを取得する制御装置（コンソール）とを用いたＣＲ（Ｃｏｍｐｕｔｅｄ  Ｒａｄｉｏｇｒａｐｈｙ）システムが実用化されている（特許文献１参照）。
【０００３】
更に、上述したＣＲカセッテに代わり、基板上に２次元的に配列された放射線検出素子を内蔵し、当該放射線検出素子に照射された放射線量に応じた電気信号を出力することが可能な、放射線画像検出装置としてのＦＰＤ（Ｆｌａｔ  Ｐａｎｅｌ  Ｄｅｔｅｃｔｏｒ）装置が提案されている。このＦＰＤを用いれば、励起光を照射して放射線画像データを読み取る読取装置を必要とせず、直接的に放射線画像のデータを得ることができるので、ＣＲカセッテを用いた場合よりもシステム自体を小型化することが可能となり、また、撮影作業も円滑となる。
【０００４】
このようなメリットからＣＲカセッテで構築された既存のＣＲシステムに対してＦＰＤへの置き換えを行いたいという要望がある。特に半導体技術の向上により小サイズで軽量化が可能となりＣＲカセッテと同等のサイズの可搬型で無線通信部を備えたＦＰＤを用いることにより置き換えが可能である。
【０００５】
置き換えを行う場合にはＣＲシステムで用いていた放射線を照射する放射線照射部、患者が臥せてＣＲカセットを取り付ける撮影台等の設備をそのまま流用できるために、導入コストを抑えることができるというメリットがある。
【０００６】
そして、ＦＰＤは放射線撮影室に設置されているが、より迅速且つ広範囲な部位の撮影を可能とするため、可搬型で無線通信を可能とするカセッテタイプのＦＰＤが開示されている（特許文献２参照）。
【０００７】
また撮影した放射線画像データは、撮影が正常に行われたかを確認することが好ましい。可搬側の無線通信を可能とするカセッテタイプのＦＰＤにおいては、放射線画像データを無線通信で送信する場合には、転送速度の制限から転送に時間がかかるために短時間で撮影及び転送を連続して行うことは難しい。そのため縮小画像を最初に転送して、明らかな撮影ミスがないかを操作者用インターフェイス３２表示させた当該縮小画像により確認して、撮影した放射線画像データ（全画像）は内蔵メモリに蓄えておくＸ線撮像装置が開示されている（特許文献３、特に段落００８４参照）。
【特許文献１】特開２００２−１５８８２０号公報
【特許文献２】特開２００２−２４８０９５号公報
【特許文献３】特開２００２−１９１５８６号公報
【発明の開示】
【発明が解決しようとする課題】
【０００８】
撮影した画像の表示形式は多種のフォーマットがあり、当該フォーマットに応じて最適な縮小画像データの画像サイズが異なることになる。最適な画像サイズよりも大きな縮小画像データを転送した場合には画像データ量が大きくなり転送時間を要するばかりでなく、一部の画像が欠損して表示されることになり、再撮影の要否を正しく判断できない恐れがあり本来の目的が達成できないことになる。これとは逆に、最適な画像サイズよりも小さい縮小画像データを転送したのでは、撮影ミスがあったか否かを判断するには不十分な虞があり、その場合には結局は縮小化する前の、放射線画像データ（全画像）が転送されるのを待つことになり、早期診断は困難となる。
【０００９】
このような場合には短時間で転送を行うという本来の目的が達成できないことになる。これとは逆に、最適な画像サイズよりも小さい縮小画像データを転送したのでは、撮影ミスがあったか否かを判断するには不十分な虞があり、その場合には結局は縮小化する前の、放射線画像データ（全画像）が転送されるのを待つことになる。
【００１０】
本願発明は上記問題に鑑み、無線通信を行う可搬型の放射線画像検出装置を用いる放射線画像撮影システムにおいて、撮影者が送信された縮小画像データを参照することにより、撮影した放射線画像データに対して撮影ミスがあったか否かの確認を迅速に、且つ、正しく行うことが可能な、放射線画像撮影システムを提供することを目的とする。
【課題を解決するための手段】
【００１１】
１．被検体を透過した放射線に基づいて放射線画像データを生成する撮像部と、生成した複数の放射線画像データを記憶する記憶部と、前記記憶部に記憶した放射線画像データから縮小画像データを生成する縮小画像生成部と、を備えた放射線画像検出装置と、
設定された表示形成に基づいて前記放射線画像検出装置から受信した縮小画像データを表示する表示部と、を備えたコンソールと、
前記放射線画像検出装置と前記コンソールとを無線通信可能とする無線通信手段と、
を有する放射線画像撮影システムであって、
前記コンソールは、設定されている前記表示形式の情報を前記放射線画像検出装置に送信し、
前記放射線画像検出装置は、受信した前記表示形式の情報に基づいて前記縮小画像生成部に放射線画像データから縮小画像データを生成させ、生成した該縮小画像データを前記無線通信手段により前記コンソールに送信させることを特徴とする放射線画像撮影システム。
【００１２】
２．前記縮小画像生成部は、前記コンソールに送信する縮小画像データの数と前記表示形式の情報に基づき放射線画像データから縮小画像データを生成する際の縮小率を可変とすることを特徴とする前記１に記載の放射線画像撮影システム。
【００１３】
３．それぞれに少なくとも一つの放射線照射装置が配置された複数の撮影領域と、
前記放射線照射装置から照射され被検体を透過した放射線に基づいて撮影を行って放射線画像データを取得する撮像部と、前記撮像部で撮影した複数の放射線画像データを記憶可能な記憶部と、前記記憶部に記憶した放射線画像データの画像サイズを縮小させた縮小画像データを生成する縮小画像生成部と、ＲＦＩＤタグと、を備えた放射線画像検出装置と、
何れかの前記撮影領域に対応付けられた、コンソールＩＤを付与されたコンソールであって、設定された表示形成に基づいて前記放射線画像検出装置から受信した縮小画像データを表示する表示部と、を備えた複数のコンソールと、
ＲＦＩＤタグの情報を読み取ることにより前記撮影領域への前記放射線画像検出装置の進入を検出するＲＦＩＤタグリーダと、
前記放射線画像検出装置と前記コンソールとを無線通信可能とする無線通信手段と、
を有する放射線画像撮影システムであって、
前記ＲＦＩＤタグリーダにより前記撮影領域への前記放射線画像検出装置の進入を検出した際に、該撮影領域に対応付けられたコンソールは、付与されているコンソールＩＤ及び設定されている前記表示形式の情報を該放射線画像検出装置に送信し、
該放射線画像検出装置は、送信トリガが入力された際に、最後に受信した前記表示形式の情報に基づいて前記縮小画像生成部に放射線画像データから縮小画像データを生成させ、生成した該縮小画像データを前記無線通信手段により最後に受信した前記コンソールＩＤが付与された前記コンソールに送信させることを特徴とする放射線画像撮影システム。
【００１４】
４．前記縮小画像生成部は、前記コンソールに送信する縮小画像データの数と前記表示形式の情報に基づき放射線画像データから縮小画像データを生成する際の縮小率を可変とすることを特徴とする前記３に記載の放射線画像撮影システム。
【００１５】
５．前記コンソールは、撮影者が前記表示部に表示された縮小画像データを参照することにより撮影した放射線画像データが正常に撮影できたことを確定する、確定入力部を有し、
該コンソールは前記確定入力部の入力に基づいて、前記放射線画像検出装置に前記表示部に表示された縮小画像データに対応する放射線画像データの送信を行わせることを特徴とする前記３又は４に記載の放射線画像撮影システム。
【００１６】
６．前記放射線画像検出装置を装填することにより該放射線画像検出装置と前記コンソールとを有線通信可能とさせる接続部を有し、
前記放射線画像データの前記放射線画像検出装置の前記コンソールへの送信は、前記接続部を介した有線通信により送信することを特徴とする前記５に記載の放射線画像撮影システム。
【００１７】
７．前記コンソールは、縮小画像データに基づいて画像処理条件の設定を行い、
設定した前記画像処理条件を、該縮小画像データに対応する放射線画像データに適用することにより処理画像データを生成し、生成した処理画像データを外部装置に送信することを特徴とする前記６に記載の放射線画像撮影システム。
【発明の効果】
【００１８】
本願発明によれば、無線通信を行う可搬型の放射線画像検出装置を用いる放射線画像撮影システムにおいて、撮影者が送信された縮小画像データを参照することにより、撮影した放射線画像データに対して撮影ミスがあったか否かの確認を迅速に、且つ、正しく行うことが可能な、放射線画像撮影システムを提供することが可能となる。
【発明を実施するための最良の形態】
【００１９】
本発明を実施の形態に基づいて説明するが、本発明は該実施の形態に限られない。
【００２０】
図１は、本実施形態における放射線画像撮影システム１の概略構成を示す図である。
【００２１】
放射線画像撮影システム１は、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６により生成された放射線画像データに画像処理を行うコンソール７とがネットワークＮを通じて接続されて構成されている。
【００２２】
また、放射線画像撮影システム１は外部装置としての放射線撮影に関する情報を管理する管理サーバ２と接続されている。なお、ここでは図示してないが、放射線画像撮影システム１は、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２３】
［撮影領域、タグリーダ８］
１００ａ、１００ｂは撮影室である。撮影室１００ａと撮影室１００ｂは同様の構成をしており、以下これらを総称して単に撮影室１００として説明する。撮影室１００にはそれぞれ放射線照射装置３、撮影操作装置４、無線通信を行うアクセスポイント５、当該アクセスポイントと接続されているルータ９を備えている。またそれぞれの撮影室１００の内部には少なくとも一つの放射線照射装置３が配置されている。またそれぞれの撮影室１００は独立した「撮影領域」を構成する。また、撮影室１００の出入口側には、前室１０があり、前室１０には、前述の撮影操作装置４、ルータ９と、ＲＦＩＤタグリーダ８（以下、単にタグリーダという）が配置されており、当該前室１０の壁面は鉛などでシールドされており放射線照射装置３からの放射線から撮影者等を防護する。
【００２４】
タグリーダ８では、放射線画像検出装置６に内蔵されたＲＦＩＤタグ６８を検出する。そしてタグリーダ８はケーブルを介して撮影操作装置４が接続されている。タグリーダ８により放射線画像検出装置の各撮影室１００への進入を検出することができる。
【００２５】
コンソール７ａは撮影領域としての撮影室１００ａ、コンソール７ｂは撮影領域としての撮影室１００ｂにそれぞれ対応付けられている。以下各コンソールを総称して単にコンソール７ともいう。また撮影室１００それぞれには、アクセスポイント５が備え付けられており、各撮影室１００内においてはそれぞれのアクセスポイント５からネットワークＮを経由して各コンソール７と通信を行う。
【００２６】
放射線照射装置３は、臥位撮影台１１に横たわっている被写体である患者１２に対して放射線を照射するようになっており、臥位撮影台１１の下方には、放射線画像検出装置６を装着する検出装置装着口１１ａが設けられている。放射線照射装置３は、撮影操作装置４により制御されて所定の撮影条件で放射線の照射を行うようになっている。なお放射線照射装置３と検出装置装着口１１ａに装着した放射線画像検出装置６との撮影タイミングの同期は、両者間でアクセスポイント５を経由した無線通信により行うようにしてもよい。
【００２７】
アクセスポイント５は、放射線照射装置３を備えた撮影室の所定領域内で放射線画像検出装置６とコンソール７とが無線通信する際に、これらの通信を中継する機能をもつ。なお、無線通信としては無線ＬＡＮ（例えば、ＩＥＥＥ８０２．１１ａ／ｂ／ｎ準拠の通信方式）により行う例について説明するが、これに限られず、電波（空間波）を用いるものの他に、赤外線や可視光線等（レーザー等）を用いた光無線通信（例えば、ＩｒＤＡ）、音波又は超音波を用いた音響通信により無線通信するようにしてもよい。
【００２８】
［管理サーバ２］
管理サーバ２はコンピュータで構成されており、管理サーバ２を構成する各部を制御する制御部、各種情報やユーザの情報、指示を入力する入力操作部（不図示）、及び、各種情報を記憶する記憶装置２１等が設けられている。また記憶装置２１には、放射線撮影を行う患者情報や撮影情報等の撮影オーダ情報が記憶されている。撮影オーダ情報は、コンソール７あるいは、不図示の病院内の受付端末により入力される。
【００２９】
［コンソール７］
図２は、コンソール７の要部構成を示すブロック図である。コンソール７は、図２に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。本実施形態においては、前述のように複数のコンソール７ａ、７ｂ、７ｃがネットワークＮに接続されており、各コンソール７ａ、７ｂ、７ｃそれぞれには識別するための識別情報としてユニークなコンソールＩＤが付されている。
【００３０】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００３１】
また、表示部７７には、入力操作部７８から入力された患者情報、撮影部位等の撮影条件等に基づいて作成された撮影オーダ情報、や放射線画像検出装置６から送信された放射線画像データや、設定されている表示形式に基づいて後述の縮小画像データが表示される。また表示部の表示形式は、入力操作部７８から撮影者（操作者、医師あるいは撮影技師ともいう）が入力指示することにより複数の表示形式から選択することにより設定可能である。表示形式の設定例については後述する。
【００３２】
入力操作部７８は、例えば、キーボードやマウス等から構成されており、キーボードで押下操作されたキーの押下信号やマウスによる操作信号を入力信号として制御部７４に対して出力するものである。なお、入力操作部７８は、前記表示部７７の表示画面を覆う透明なシートパネルに、指又は専用のスタイラスペンで触れることにより入力される位置情報を入力信号として制御部７４に出力する、いわゆる、タッチパネルにより構成されていてもよい。
【００３３】
入力操作部７８は、この撮影オーダ情報の中から撮影を行う患者やその撮影部位等を選択可能となっている。また、コンソール７に対応付けられている放射線画像検出装置６が複数ある場合には、入力操作部７８は、そのうち何れの放射線画像検出装置６によって撮影を行うかを、当該放射線画像検出装置のそれぞれに付与された識別ＩＤを選択することにより選択可能となっている。これにより、患者をどの放射線画像検出装置６によって撮影するかの設定が行われる。
【００３４】
また、入力操作部７８は、所定操作に基づいて放射線画像検出装置６による検出結果により得られた放射線画像データの転送指示に関する信号を制御部７４に対して出力する。本実施形態においては、撮影によって得られた放射線画像データは、撮影に使用された放射線画像検出装置６と対応付けられ撮影の際に放射線画像検出装置６を操作したコンソール７に転送され、コンソール７の制御部７４において、前記撮影前の設定の際に患者リストから選択された患者の患者情報や撮影情報等と対応付けられ、診断に提供可能か否かが判断される。患者情報や撮影情報等と対応付けられ、診断提供可能と判断された放射線画像データは、必要に応じて記憶部７０に保存される、又は管理サーバ２あるいはその他の外部装置に転送され、読影待ち（診断待ち）となる。
【００３５】
通信部７９によりネットワークＮに接続している各装置と通信する。当該通信部７９によりアクセスポイント５を介して無線ＬＡＮ等の無線通信方式により放射線画像検出装置６との間で各種情報の通信を行う。
【００３６】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３７】
［放射線画像検出装置］
放射線画像検出装置６は、放射線照射装置３から照射されて患者１２を透過した放射線を検出することにより放射線画像データを取得するものであり、カセッテにフラットパネルディテクタ（Ｆｌａｔ  Ｐａｎｅｌ  Ｄｅｔｅｃｔｏｒ：ＦＰＤ）とも呼ばれる撮像パネルが収容されてなる可搬型のカセッテ型ＦＰＤ装置である。
【００３８】
図３は、放射線画像検出装置６の要部構成を示すブロック図である。図３に示すように、放射線画像検出装置６の制御系は、制御部６４、記憶部６０、縮小画像生成部６２、撮像部として機能する撮像パネル６３、ＲＡＭ６５、ＲＯＭ６６、電源部６７、無線通信部６９、等を備え、各部はバス６１により接続されている。
【００３９】
制御部６４は、ＣＰＵ等から構成され、ＲＯＭ６６に記憶されている制御プログラムを読み出してＲＡＭ６５内に形成されたワークエリアに展開し、当該制御プログラムに従って放射線画像検出装置６の各部を制御する。
【００４０】
撮像パネル６３は、例えば、ガラス基板等を有しており、基板上の所定位置には、放射線管球から照射されて被写体を透過した放射線をその強度に応じて検出し、検出した放射線を電気信号に変換して蓄積する複数の画素がマトリクス状に配列されている。
【００４１】
ここで、撮像パネル６３としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電荷に変換する放射線受部を有する放射線電気信号変換層を備える直接型のもの等が挙げられる。なお、間接型のものは直接型のもので用いる高圧電源が不要であるため好ましい。
【００４２】
記憶部６０は、例えばフラッシュメモリ等の不揮発性メモリやＲＡＭから構成され、撮像パネル６３に蓄積された電気信号が読み取られることにより取得された、複数回分の撮影に相当する放射線画像データを記憶可能としている。
【００４３】
縮小画像生成部６２では、記憶部６０に記憶されている放射線画像データから縮小画像データを生成する。ここで「放射線画像データ」とは、いわゆるＲＡＷデータとも称されるものであり、撮像パネルから出力された画像処理を行う前の生データであり、ダイナミックレンジが大きく、画素あたりの輝度情報が大きいデータである。当該放射線画像データはデータサイズ（容量）が大きいため、後述の無線通信手段では転送速度の制限から転送時間が長くかかってしまうという問題がある。「縮小画像データ」とは放射線画像データに対して画像サイズ（容量）を縮小させたものであり、いわゆるサムネイル画像とも称されるものである。縮小化の処理としては、例えば単純に縦横のマトリクス状に広がる画像データに対して縦横それぞれを１／４あるいは１／８、等に間引く方法がある。
【００４４】
電源部６７は、放射線画像検出装置６を構成する複数の駆動部（制御部６４、撮像パネル６３、記憶部６０等）に電力を供給する。この電源部６７は、例えば予備電池と充電自在な充電池とで構成されており、充電用端子をコンソール７に接続されているクレードルｋ（図１参照）に接続することにより、充電池を充電することが可能である。当該クレードルｋは放射線画像検出装置６とコンソール７とを有線通信可能とさせる「接続部」としても機能する。
【００４５】
ＲＦＩＤタグ６８には、ＲＦＩＤタグ６８の各部を制御する制御回路、放射線画像検出装置６の固有情報を記憶する記憶部及び電磁界や電波を送受信するアンテナなどを内蔵している（何れも図示しない）。そして、各撮影室１００の入口に配置されているタグリーダ８から発信された電磁界や電波をアンテナを介して受信すると、記憶部に記憶された固有情報を、アンテナを介してタグリーダ８に送信するように構成されている。なお、固有情報とは、例えば、各放射線画像検出装置６に割り当てられた固有の識別番号である。
【００４６】
無線通信部６９は、ＩＥＥＥ８０２．１１規格に準拠した無線ＬＡＮにより、アクセスポイント５を介して、コンソール７との間で各種情報の無線通信を行うものである。
【００４７】
［表示部７７における表示形式の設定］
次に表示形式の設定例について説明する。図４は、表示部７７に表示される撮影画像表示画面７７２の表示画面例を示したものである。図４（ａ）は、１コマの縮小画像データを撮像表示画面７７２に表示させた例である。図４（ｂ）は、４コマの縮小画像データを撮像表示画面７７２に表示させた例である。
【００４８】
コマ数としては図４（ａ）、図４（ｂ）に示す例の他に、２コマ、３コマあるいは５コマ以上を一覧表示させるようにしてもよい。図４（ｂ）に示す例では一度に表示可能なコマ数は４コマが上限であり、５コマ以上の縮小画像データが存在する場合には、次ページに配置され、当該ページの切り替えはページ送りボタン３５２ｊを押すことにより切り替えることが可能である。
【００４９】
このように表示部７７に表示させる縮小画像データの画像サイズは、表示形式により大きく異なることになる。またこれらの表示形式はモダリティ、撮影枚数、撮影部位、関連する画像の有無などの撮影情報により適切な表示形式を、撮影者が入力操作部７８からの入力により選択できるようになっているが、制御部７４でこれらの条件により自動的に選択するようにしても良い。またモダリティとしてはＣＲ装置やＦＰＤ装置などがある。これらの複数種類のモダリティが混在するシステムであっても、同一の部位に対しては、使用するモダリティに係わらず同様の表示形式を用いることができるので、撮影者が混乱することなく、既存の診断フローを維持したままで、両システムを混在させることができる。
【００５０】
図４（ｂ）においては、撮影画像表示画面７７２は、抽出された画像を一覧表示するための４つの縮小画像表示欄７７２ａ〜７７２ｄを有している。また同図においてＯＫボタン３５ｈが「確定入力部」として機能する。
【００５１】
撮影者が、縮小画面表示欄７７２ａ〜７７２ｄ又は、縮小画面表示欄７７２ｍに表示されている縮小画像データを参照することにより病気診断のための診断画像として適するか否かをそれぞれ判断し、診断に使用可能であり撮影が正常に終了したと判断した場合にはＯＫボタン７７２ｈを押すことにより当該撮影は終了する。一方、撮影部位が不適切の場合あるいは、撮影時の患者の動きにより撮影がブレたりした場合には撮影は正常に終了しなかったことになり、再撮影が必要となる。このような場合にはＮＧボタン７７２ｉを押す。この場合、ＮＧボタン７７２ｉが押された放射線画像データに対応する撮影オーダ情報ついては再撮影のためのフォルダに再度登録しても良い。
【００５２】
また、各々の縮小画像は、図示せぬ画像処理部で、受信した縮小画像のヒストグラム解析等や、予め設定されている部位情報に応じ、最適な画像処理条件（例えば階調等）で画像処理が施されている。そして当該画面の右上には、画像処理調整欄７７２ｅが設けられており、撮影者は、この画像処理調整欄７７２ｅをマウス等により操作することにより、濃度やコントラストの調整を行うことができる。各画像に対応して表示されているＯＫボタン７７２ｈを押下すると、撮影が正常に終了したことを確定することができる。また、撮影画像表示画面７７２には、表示された撮影画像に対応付けられた撮影オーダ情報に含まれる患者情報を表示する患者情報表示欄７７２ｆが設けられている。
【００５３】
［制御フロー］
図５は、本実施形態における放射線画像撮影システム１の制御フローの説明図である。まず図５のステップＳ１１では、コンソール７は、撮影者に設定されている表示形式の設定情報を、撮影を行う放射線画像検出装置６に送信する。ここでの送信は通信部７９からアクセスポイント５を経由して無線通信により放射線画像検出装置６へ行っている。
【００５４】
次のステップＳ１２では、放射線画像検出装置６は受信した表示形式の設定情報を記憶部６０に記憶させる。ここで表示形式の設定情報とは、例えば表示部７７に表示させる縮小画像データの画像サイズ（縦及び横方向の各画素数）、あるいは一画面に同時に表示させるコマ数のことである。
【００５５】
ステップＳ１３では放射線画像検出装置６において、撮影オーダに基づいた撮影が行われる。撮影とは撮影者が、撮影操作装置４を操作することにより放射線照射装置３から放射線を照射させ、患者１２を透過した放射線を放射線画像検出装置６により検出することにより放射線画像データを取得することである。この際に一の患者に対する撮影オーダが複数ある場合には撮影枚数は複数になる。これらの放射線画像データは記憶部６０に記憶される。
【００５６】
ステップＳ１４では、制御部６４は縮小画像生成部６２によりステップＳ１２で記憶させた表示形式の設定情報に基づいて、ステップＳ１３で取得した放射線画像データに対して縮小化の処理を行い、縮小画像を生成させる。なお本ステップにおける縮小化率（あるいは間引き率ともいう）は表示形式の設定情報、放射線画像検出装置６の撮影可能なサイズ情報、により異ならせている。なお、各放射線画像検出装置６のサイズ情報は、予め個々のＲＯＭ６６に記憶されている。
【００５７】
例えば、１７５μｍの画素サイズで読み取られた半切サイズ（１４×１７インチ）の画像（画素数は２０１０×２４００）を縦横ともに１／１５圧縮（従って画素数は１３４×１６０）で、４コマ設定の表示形式の場合の縮小化率（圧縮率）は以下のとおりである。
（１）撮影サイズが半切（１４×１７インチ）であれば、各画像は１／１５に圧縮した間引き画像を生成する。縦横同じ間引き率とするのは、画像のアスペクト比を原画像（元画像）と同一に保つためである。
（２）大角（１４×１４インチ）の場合には、同様に縦横共に１／１５圧縮するが、表示された画像は、フォーマットの縦方向の一部に画像データが存在しないので、この場合には低輝度値を割り付けて表示することにより、観察者の眩惑防止が可能となる。
（３）大四切（１１×１４インチ）の場合には、横方向の圧縮率１／１５＊１４／１１＝１／１１．７８（従い１／１２の圧縮率）、縦方向の圧縮率１／１５＊１７／１４＝１／１２．３５（従い１／１３の圧縮率）、のうちの何れかの大きい方の圧縮率（１／１３）とする。この場合にも、表示される画像には一部画像データが存在しない領域ができるので、上記と同様に低輝度データを割付け、眩惑防止する。
【００５８】
その他の例として、１７５μｍの画素サイズで読み取られた半切サイズ（１４×１７インチ）の画像（画素数は２０１０×２４００）を縦横ともに１／１０圧縮（従って画素数は２０１×２４０）で、４コマ設定の表示形式の場合の縮小化率（圧縮率）は以下のとおりである。
（１）撮影サイズが半切（１４×１７インチ）であれば、各画像は１／１０に圧縮した間引き画像を生成する。縦横同じ間引き率とするのは、画像のアスペクト比を原画像（元画像）と同一に保つためである。
（２）大角（１４×１４インチ）の場合には、同様に縦横共に１／１０圧縮するが、表示された画像は、フォーマットの縦方向の一部に画像データが存在しないので、この場合には低輝度値を割り付けて表示することにより、観察者の眩惑防止が可能となる。
（３）大四切（１１×１４インチ）の場合には、横方向の圧縮率１／１０＊１４／１１＝１／７．８６（従い１／８圧縮率）、縦方向の圧縮率１／１０＊１７／１４＝１／８．２３（従い１／９の圧縮率）、のうちの何れかの大きい方の圧縮率（１／９）とする。この場合にも、表示される画像には一部画像データが存在しない領域ができるので、上記と同様に低輝度データを割付け、眩惑防止する。
【００５９】
ステップＳ１５では、制御部６４は無線通信部６９により、ステップＳ１４で作成した縮小画像データをコンソール７に送信する。
【００６０】
ステップＳ１６では、コンソール７の制御部７４は、表示部７７にステップＳ１５で受信した縮小画像データを表示させて終了する。
【００６１】
本実施形態によれば、無線通信を行う可搬型の放射線画像検出装置を用いる放射線画像撮影システムにおいて、撮影者が送信された縮小画像データを参照することにより、撮影した放射線画像データに対して撮影ミスがあったか否かの確認を迅速に、且つ、正しく行うことが可能となる。
【００６２】
［第２の実施形態における制御フロー］
次に第２の実施形態における放射線画像撮影システム１について図６及び図７に基づいて行う。第２の実施形態においては放射線画像検出装置６のＲＦＩＤタグ６８と撮影室１００の入口に配置されたタグリーダ８とにより、各撮影室１００への進入を検出して、検出した撮影室１００に対応するコンソールに縮小画像データを送信させるものである。
【００６３】
図６は、放射線画像撮影システム１における放射線画像検出装置６の移動を説明する図である。同図に示すように当初において放射線画像検出装置６は撮影室１００ａに存在している。当該放射線画像検出装置６により撮影オーダ情報に基づく撮影を行った後に他の撮影室１００ｂに移動して、引き続き撮影を継続する。
【００６４】
図７は、第２の実施形態における放射線画像撮影システム１の制御フローの説明図である。同図の制御フローは図６に示した移動先の撮影領域としての撮影室１００ｂに対応付けられているコンソール７ｂと、撮影者により移動された放射線画像検出装置６との間で行われる制御である。
【００６５】
ステップＳ２１では放射線画像検出装置６が、撮影室１００ｂの中に進入したことを、タグリーダ８が、移動された放射線画像検出装置６のＲＦＩＤタグ６８の情報を読み取ることにより検出し、検出した情報は当該タグリーダ８が配置されている撮影室１００ｂに対応するコンソール７ｂに送られる（ステップＳ２１のＹｅｓ）。
【００６６】
次のステップＳ２２ではコンソール７ｂは、設定されている表示形式の設定情報及び自身のコンソールＩＤを、ステップＳ２１で進入を検出した放射線画像検出装置６に対して、アクセスポイント５を経由して無線通信により送信する。
【００６７】
ステップＳ２３では放射線画像検出装置６は、表示形式の設定情報を記憶部６０に記憶させる。また過去（例えば撮影室１００ａ進入時）に受信した表示形式の設定情報があるのであれば、その情報に対して上書きして表示形式の設定情報を更新するようにしても良いし、受信時間を管理して最後に受信した表示形式の設定情報を有効にするようにしても良い。
【００６８】
ステップＳ２４では放射線画像検出装置６は、撮影オーダに基づいた撮影が行われる。この際に一の患者に対する撮影オーダが複数ある場合には撮影を続けて行う。この場合、得られる放射線画像データは複数になる。これらの放射線画像データは記憶部６０に記憶される。
【００６９】
ステップＳ２５では、送信トリガの入力の待ちを行い、撮影者からの指示により送信トリガが入力された場合（ステップＳ２５のＹｅｓ）には、続くステップＳ２６で送信する。ここで「送信トリガ」の入力としては、例えば放射線画像検出装置６の外装に設け送信スイッチを撮影者が操作することにより行っても良く、あるいは、操作者が放射線画像検出装置６をクレードルｋに装填し、そのことを制御部６４が検知することにより送信トリガが入力されたとみなしても良い。
【００７０】
ステップＳ２６では、制御部６４は縮小画像生成部６２により、ステップＳ２３で更新した表示形式の設定情報、つまり受信した時刻が最も遅い最後に受信した表示形式の設定情報に基づいて縮小画像データを作成させる。なお本ステップにおける縮小化を行う対象の放射線画像データは記憶部６０に記憶されている。なお当該放射線画像データには、ステップＳ２４で取得した放射線画像データとともに、他の撮影領域で撮影して得られた放射線画像データも含まれる。またステップＳ２６で縮小化を行う際の縮小化率（あるいは間引き率ともいう）は表示形式の設定情報により異ならせている。
【００７１】
ステップＳ２７では、制御部６４は無線通信部６９により、ステップＳ２６で作成した縮小画像データを、ステップＳ２２で送信されたコンソールＩＤが付与されているコンソール７ｂに送信する。
【００７２】
ステップＳ２８では、コンソール７ｂの制御部７４は、表示部７７にステップＳ１５で受信した縮小画像データを表示させる。以上までが表示形式の設定に基づいて放射線画像データに縮小化を行い、縮小化した縮小画像データを送信するまでの制御フローである。次に後処理の制御フローについて説明する。
【００７３】
［後処理の制御フロー］
ステップＳ５１では、撮影者は表示させている縮小画像データに対して画像処理条件の設定を行う。画像処理条件の設定は、前述のとおり、画像処理調整欄７７２ｅ（図４（ａ）等）をマウス等により操作することにより、濃度やコントラストの調整を行うことができる。撮影者がＯＫボタン７７２ｋを押すことにより、表示されている「画像処理条件」は、記憶部７０に記憶される。なお画像処理調整欄７７２ｅで撮影者が調整する方法以外に、制御部７４で自動に設定するようにしてもよい。設定方法としては例えば、図示せぬ画像処理部で、受信した縮小画像の輝度データのヒストグラム解析等や、予め設定されている部位情報に応じ、最適な画像処理条件（例えば階調、コントラスト等）を設定する方法がある。更に、当該自動画像処理後に、上述する画像処理調整欄７７２ｅによる調整を行っても良い。
【００７４】
ステップＳ５２では、撮影者が撮影画像表示画面７７２（図４（ｂ））の表示された縮小画像データを参照することにより再撮影が必要か否かを判断する。撮影部位が不適切の場合あるいは、撮影時の患者の動きにより撮影がブレたりした場合には撮影が正常に終了しなかったことになり、再撮影が必要となる。再撮影が必要と判断した場合（ステップＳ５１のＹｅｓ）にはＮＧボタン７７２ｉを押す。この場合、ＮＧボタン７７２ｉが押された放射線画像データについては再撮影のためのフォルダに撮影オーダが再度登録され、ステップＳ２４以降のフローを再度実行する。
【００７５】
一方、撮影者が再撮影は必要でないと判断した場合（ステップＳ５１のＮｏ）にはＯＫボタン７７３ｈを押すことにより、次のステップＳ５３に移行する。当該ステップでは制御部７４ではステップＳ５２で再撮影が必要でないと判断された縮小画像データに対応する元の（縮小化前の）放射線画像データの送信を、撮影を行った放射線画像検出装置６に要求する。
【００７６】
ステップＳ５４では、放射線画像検出装置６の制御部６４では、対応する放射線画像データを要求のあったコンソール７ｂに送信する。
【００７７】
なおこの送信は無線通信部６９によりアクセスポイント５を経由して行ってもよく、あるいは、クレードルｋに放射線画像検出装置６が装填されていれば、当該クレードルｋを経由して「有線通信」によりコンソール７ｂに送信するようにしても良い。有線通信で行うには、所定の位置まで放射線画像検出装置６を移動させたり、コネクタに接続させたりしなくてはならないが、データサイズの大きい放射線画像データの転送を短時間で行うことができるというメリットがある。
【００７８】
ステップＳ５５では、制御部７４は、ステップＳ５４で放射線画像検出装置６から送信された放射線画像データを表示部７７に表示させ、表示した放射線画像データに対して画像処理を実行して処理画像データを作成する。この際の画像処理条件は、ステップＳ５１で当該放射線画像データに対応する縮小画像データに対して適用された、「画像処理条件」を適用して処理画像データを作成する。一般的に縮小画像データで設定された「画像処理条件」を元の放射線画像データに適用しても特に問題なく、縮小画像データで画像処理条件の設定をすることにより、その選択をする際の処理を早く行えるというメリットがある。特に自動で画像処理条件の設定を行う場合に有用である。
【００７９】
ステップ５６では、制御部７４は、外部装置としての管理サーバ２に処理画像データを送信する。そして処理画像データは管理サーバ２の記憶装置２１に撮影オーダと関連付けて記憶されて終了する。
【００８０】
本実施形態によれば、無線通信を行う可搬型の放射線画像検出装置を用いる放射線画像撮影システムにおいて、ＲＦＩＤタグにより、放射線画像検出装置６の撮影領域への進入を検知し、検知した撮影領域に対応付けられているコンソールの表示形式の情報に基づいて生成した縮小画像データを、当該コンソールに送信し、送信された縮小画像データを撮影者が参照することにより、撮影した放射線画像データに対して撮影ミスがあったか否かの確認を迅速に、且つ、正しく行うことが可能となる。
【００８１】
なお、本実施例においては、２つの撮影領域に跨る撮影フローで説明したが、３つ以上の撮影領域に跨る撮影の場合も可能である。更に、各撮影領域毎にコンソールを配置したが、複数の撮影領域で兼用のコンソールとしても良い。この場合には、最後の撮影を行った撮影領域に対応付けられた、撮影者に最も近接したコンソールに画像データは送信される。
【図面の簡単な説明】
【００８２】
【図１】本実施形態における放射線画像撮影システム１の概略構成を示す図である。
【図２】コンソール７の要部構成を示すブロック図である。
【図３】放射線画像検出装置６の要部構成を示すブロック図である。
【図４】図４（ａ）は、１コマの縮小画像データを撮像表示画面７７２に表示させた例である。図４（ｂ）は、４コマの縮小画像データを撮像表示画面７７２に表示させた例である。
【図５】本実施形態における放射線画像撮影システム１の制御フローの説明図である。
【図６】放射線画像撮影システム１における放射線画像検出装置６の移動を説明する図である。
【図７】第２の実施形態における放射線画像撮影システム１の制御フローの説明図である。
【符号の説明】
【００８３】
１  放射線画像撮影システム
２  管理サーバ
２１  記憶装置
３  放射線照射装置
４  撮影操作装置
５  アクセスポイント
６  放射線画像検出装置
６２  縮小画像生成部
６０  記憶部
６３  撮像パネル
６８  ＲＦＩＤタグ
７、７ａ、７ｂ  コンソール
７７  表示部
７８  入力操作部
８  タグリーダ
【図１】
2009226110.tif 000003
【図２】
2009226110.tif 000004
【図３】
2009226110.tif 000005
【図４】
2009226110.tif 000006
【図５】
2009226110.tif 000007
【図６】
2009226110.tif 000008
【図７】
2009226110.tif 000009